(57)【要約】【課題】宣伝効果が高く、夜間に発光可能で、会場のモードを盛上げ可能で、携帯可能な装飾品を提供すること。【解決手段】発光装置を収容する収容部が設けてあり、その周壁には装飾部に設けられた接合部と結合するための接合部が設けてある台座と、前記台座の収容部の内部に設けられ、発光体と、電池組と、スイッチボタンとが設けてある回路板を有する発光装置と、前記台座の周壁に設けられた接合部と結合するための接合部が設けてあり、前記発光装置のスイッチボタンに対応する箇所で貫通孔が開設してあり、且つ前記スイッチボタンが前記貫通孔を挿通して外部に突出可能である装飾部と、前記台座と接合する着用具と、を含む。【選択図】図１
0003138901.tif 000002
【実用新案登録請求の範囲】
【請求項１】
発光装置を収容する収容部が設けてあり、その周壁には装飾部に設けられた接合部と結合するための接合部が設けてある台座と、
前記台座の収容部の内部に設けられ、発光体と、電池組と、スイッチボタンとが設けてある回路板を有する発光装置と、
前記台座の周壁に設けられた接合部と結合するための接合部が設けてあり、前記発光装置のスイッチボタンに対応する箇所で貫通孔が開設してあり、且つ前記スイッチボタンが前記貫通孔を挿通して外部に突出可能である装飾部と、
前記台座と接合する着用具と、を含むことを特徴とする、
発光機能付携帯型装飾品。
【請求項２】
前記着用具はヘアバンドであり、前記ヘアバンドの上端に係り縁が成形してあり、また、前記台座の底部には、ヘアバンドの係り縁と係止し結合するための係止溝が凹設してあることを特徴とする、請求項１に記載の発光機能付携帯型装飾品。
【請求項３】
前記着用具は帽子バンドであり、前記帽子バンドは、前記台座の背面に一体成形された、上位置決め片と、下位置決め片と、から構成され、前記上位置決め片と下位置決め片とに帽子の輪郭に合う円弧面が設けてあることを特徴とする、請求項１に記載の発光機能付携帯型装飾品。
【考案の詳細な説明】
【技術分野】
【０００１】
本考案は、発光機能付携帯型装飾品に係り、特に、宣伝効果を持つ装飾部を有し、夜間に発光可能であり、会場のモードを盛上げ可能であり、身の回りに携帯可能である発光機能付携帯型装飾品に関するものである。
【背景技術】
【０００２】
現在、一般の販売活動、芸術活動やスポーツ活動には、商品、個人または団体を宣伝するために、広告物などを設置することが一般的になっている。このような広告物としては、蛍光灯を持つ広告看板と、広告スクリーンと、各寸法の宣伝用旗となどがある。
【０００３】
また、活動の賑やかさを向上するために、活動に参加するメンバーを、宣伝用旗の他に、発光体や鳴き笛などを使用することが一般になっていて、そうすることで、会場のモードを盛上げることができる。
【０００４】
しかしながら、一般の販売活動、芸術活動や選挙活動が多元化する傾向にあるので、宣伝するためのものを改良する必要性が求められている。製品の品質が厳しく要求される現在では、製品の実用性、斬新性及び綺麗な外観を持たないと消費者の購買意欲を引き出すことができない。
【考案の開示】
【考案が解決しようとする課題】
【０００５】
本考案の主な目的は、宣伝効果を持つ装飾部を有し、夜間に発光可能であり、会場のモードを盛上げ可能であり、身の回りに携帯可能である発光機能付携帯型装飾品を提供することにある。
【課題を解決するための手段】
【０００６】
上記目的を達成するためになされた本願の第１考案は、発光装置を収容する収容部が設けてあり、その周壁には装飾部に設けられた接合部と結合するための接合部が設けてある台座と、前記台座の収容部の内部に設けられ、発光体と、電池組と、スイッチボタンとが設けてある回路板を有する発光装置と、前記台座の周壁に設けられた接合部と結合するための接合部が設けてあり、前記発光装置のスイッチボタンに対応する箇所で貫通孔が開設してあり、且つ前記スイッチボタンが前記貫通孔を挿通して外部に突出可能である装飾部と、前記台座と接合する着用具と、を含むことを特徴とする発光機能付携帯型装飾品であることを要旨としている。
【０００７】
本願の第２考案では、前記着用具はヘアバンドであり、前記ヘアバンドの上端に係り縁が成形してあり、また、前記台座の底部には、ヘアバンドの係り縁と係止し結合するための係止溝が凹設してあることを特徴とする前記第１考案に記載の発光機能付携帯型装飾品であることを要旨としている。
【０００８】
本願の第３考案では、前記着用具は帽子バンドであり、前記帽子バンドは、前記台座の背面に一体成形された、上位置決め片と、下位置決め片と、から構成され、前記上位置決め片と下位置決め片とに帽子の輪郭に合う円弧面が設けてあることを特徴とする前記第１考案に記載の発光機能付携帯型装飾品であることを要旨としている。
【考案の効果】
【０００９】
本考案の発光機能付携帯型装飾品によれば、次のような効果がある。
（１）ユーザの手部、頭部及びアーム部と、帽子となどに付け可能であり、装飾部に「ＬＯＶＥ」などの文字や模様があるので、本考案をユーザが身に付けると、販売活動、芸術活動や選挙活動などのムードを盛上げることができる。
【００１０】
（２）本考案には発光装置が設けてあるので、夜間では、発光装置からの光線が装飾部を透過して外部に射出し、これにより、販売活動、芸術活動や選挙活動などのムードを更に盛上げることができる。
【考案を実施するための最良の形態】
【００１１】
以下、添付図面を参照して本考案の好適な実施の形態を詳細に説明する。
【００１２】
まず、図１及び図２を参照する。本考案の発光機能付携帯型装飾品は、台座１と、発光装置２と、装飾部３と、着用具４と、を含む。
【００１３】
前記台座１は、発光装置２を収容する収容部１１が設けてあり、その周壁には装飾部３に設けられた接合部３１（本実施例ではフックであり）と結合するための接合部１２（本実施例では係止溝であり）が設けてある。
【００１４】
前記発光装置２は、前記台座１の収容部１１の内部に設けられ、発光体２２（例えば発光ダイオードや電灯など）と、電池組２３と、スイッチボタン２４とが設けてある回路板２１を有する。
【００１５】
前記装飾部３は、前記台座１の周壁に設けられた接合部１２（本実施例では係止溝であり）と結合するための接合部３１（本実施例ではフックであり）が設けてあり、前記発光装置２のスイッチボタン２４に対応する箇所で貫通孔３２が開設してあり、且つ前記スイッチボタン２４が前記貫通孔３２を挿通して外部に突出可能であり、前記装飾部３の台座１にある収容部１１に対応する箇所では押付ブロック３３が設けてあり、前記押付ブロック３３により前記台座１の収容部１１に組み付けられた発光装置２が位置決められ、また、装飾部３には、活動テーマに対応する文字や模様などを設けても良い。
【００１６】
前記着用具４は、図１、図３、図５及び図７に示すように、前記台座１と接合している。
前記着用具４は、腕時計ベルト４１でもよいし、ヘアバンド４２でもよいし、アームリング４３でもよいし、帽子バンド４４でもよい。
なお、着用具４の台座１と接合する構造は下記に説明する。
【００１７】
腕時計ベルト４１は、図１及び図２に示すように、台座１の両側と連接するように、台座１と一体成形される。
【００１８】
ヘアバンド４２は、図３及び図４に示すように、その上端に係り縁４２１が成形してあり、また、前記台座１の底部には、ヘアバンド４２の係り縁４２１と係止し結合するための係止溝１３が凹設してある。
【００１９】
アームリング４３は、図５及び図６に示すように、バンドであり、その両端にマジックテープ（登録商標）４３１が設けてあり、且つ台座１の底部にはアームリング４３を挿入可能の係りリング１４が設けてある。
【００２０】
帽子バンド４４は、図７及び図８に示すように、前記台座１の背面に一体成形された、上位置決め片４４１と、下位置決め片４４２と、から構成され、前記上位置決め片４４１と下位置決め片４４２とに帽子５の輪郭に合う円弧面４４３，４４４が設けてある。
【００２１】
次に、図１及び図２を参照しながら本考案の組付方法および使用状態を説明する。
まず、台座１の収容部１１に発光装置２を設置して、台座１に装飾部３を組付ける。
これにより、装飾部３の接合部３１（本実施例ではフックであり）は台座１の接合部１２（本実施例では係止溝であり）と係止し結合可能である。
そして前記装飾部３の押付ブロック３３により前記台座１の収容部１１に組み付けられた発光装置２が位置決めされる。
前記発光装置２のスイッチボタン２４が装飾部３に開設された貫通孔３２を挿通して外部に突出可能である。
また、着用具４により本考案をユーザの手部、頭部及びアーム部と、帽子となどに付け可能である。
【００２２】
このように、本考案をユーザが身に付けると、装飾部３に設けられた文字や模様などは活動のテーマを鮮明にする効果がある。
また、夜間では、スイッチボタン２４をオンにすると、発光装置２の発光体２２からの光線は会場のムードを盛上げる効果を有する。
【図面の簡単な説明】
【００２３】
【図１】本考案の分解斜視図１である。
【図２】本考案の組合状態の斜視図１である。
【図３】本考案の分解斜視図２である。
【図４】本考案の組合状態の斜視図２である。
【図５】本考案の分解斜視図３である。
【図６】本考案の組合状態の斜視図３である。
【図７】本考案の分解斜視図４である。
【図８】本考案の組合状態の斜視図４である。
【符号の説明】
【００２４】
１        台座
２        発光装置
３        装飾部
４        着用具
５        帽子
１１      収容部
１２      接合部
１３      係止溝
１４      係りリング
２１      回路板
２２      発光体
２３      電池組
２４      スイッチボタン
３１      接合部
３２      貫通孔
３３      押付ブロック
４１      腕時計ベルト
４２      ヘアバンド
４３      アームリング
４４      帽子バンド
４２１    係り縁
４３１    マジックテープ
４４１    位置決め片
４４２    位置決め片
４４３    円弧面
４４４    円弧面
【図１】
0003138901.tif 000003
【図２】
0003138901.tif 000004
【図３】
0003138901.tif 000005
【図４】
0003138901.tif 000006
【図５】
0003138901.tif 000007
【図６】
0003138901.tif 000008
【図７】
0003138901.tif 000009
【図８】
0003138901.tif 000010